(57)【要約】【課題】地球環境への負荷が小さく、かつ、パーフルオロポリエーテル（ＰＦＰＥ）基を有する化合物を溶解したときに安定性に優れる溶液とすることのできる溶剤組成物を提供することを課題とする。【解決手段】パーフルオロポリエーテル基を有する化合物を溶解するための溶剤組成物であって、１，１，１，３，３，３−ヘキサフルオロイソプロピルメチルエーテル（ＨＦＥ−３５６ｍｍｚ）を含む溶剤組成物、を提供することにより課題は解決する。【選択図】なし【特許請求の範囲】
【請求項１】
パーフルオロポリエーテル基を有する化合物を溶解するための溶剤組成物であって、１，１，１，３，３，３−ヘキサフルオロイソプロピルメチルエーテル（ＨＦＥ−３５６ｍｍｚ）を含む溶剤組成物。
【請求項２】
シス−１−クロロ−３，３，３−トリフルオロプロペン（１２３３ｚｄ（Ｚ））または１，１，１，３，３−ペンタフルオロブタン（ＣＦ３−ＣＨ２−ＣＦ２−ＣＨ３、ＨＦＣ−３６５ｍｆｃ）を含む、請求項１に記載の溶剤組成物。
【請求項３】
ハイドロクロロフルオロカーボン（ＨＣＦＣ）類、ハイドロフルオロカーボン（ＨＦＣ）類、ハイドロフルオロエーテル（ＨＦＥ）類、ハイドロフルオロオレフィン（ＨＦＯ）類から選ばれる、有機溶剤を含む、請求項１または２に記載の溶剤組成物。
【請求項４】
安定剤、難燃剤、界面活性剤、金属不動態化剤または防錆剤を含む、請求項１〜３のいずれかに記載の溶剤組成物。
【請求項５】
パーフルオロポリエーテル基を有する化合物が、数平均分子量１３００〜８０００で一般式（１）で表される化合物、数平均分子量３２００〜２３０００で一般式（２）で表される化合物、数平均分子量２０００〜１１０００で一般式（３）で表される化合物または数平均分子量１０００〜２００００で一般式（４）で表される化合物である、請求項１〜４のいずれかに記載の溶剤組成物。
【化１】
2020132688.tif 000007
（式中、ｍおよびｎは１以上の整数であり、ｍ＋ｎ＝８〜１２０を満たし、Ｒ１およびＲ２はそれぞれ独立に炭素数１〜３のパーフルオロアルキル基であり、ｐおよびｑは１以上の整数であり、ｐ＋ｑ＝２５〜３５０を満たし、Ｒ３およびＲ４はそれぞれ独立に炭素数１〜３のパーフルオロアルキル基であり、ｒは１０〜８０の整数であり、Ｒ５は炭素数１〜３のパーフルオロアルキル基であり、ｓ、ｔ、ｕおよびｖは１以上の整数であり、ｔ／ｓ＝２〜５、（ｕ＋ｖ）／（ｓ＋ｔ＋ｕ＋ｖ）＝０．０７〜０．２、ｓ／（ｓ＋ｔ＋ｕ＋ｖ）＝０．１〜０．３を満たし、Ｒ６およびＲ７はそれぞれ独立に炭素数１〜３のパーフルオロアルキル基である。）
【請求項６】
請求項１〜４のいずれかに記載の溶剤組成物と、パーフルオロポリエーテル基を有する化合物とを含む、溶液。
【請求項７】
パーフルオロポリエーテル基を有する化合物が、数平均分子量１３００〜８０００で一般式（１）で表される化合物、数平均分子量３２００〜２３０００で一般式（２）で表される化合物、数平均分子量２０００〜１１０００で一般式（３）で表される化合物または数平均分子量１０００〜２００００で一般式（４）で表される化合物である、請求項６に記載の溶液。
【化２】
2020132688.tif 000008
（式中、ｍおよびｎは１以上の整数であり、ｍ＋ｎ＝８〜１２０を満たし、Ｒ１およびＲ２はそれぞれ独立に炭素数１〜３のパーフルオロアルキル基であり、ｐおよびｑは１以上の整数であり、ｐ＋ｑ＝２５〜３５０を満たし、Ｒ３およびＲ４はそれぞれ独立に炭素数１〜３のパーフルオロアルキル基であり、ｒは１０〜８０の整数であり、Ｒ５は炭素数１〜３のパーフルオロアルキル基であり、ｓ、ｔ、ｕおよびｖは１以上の整数であり、ｔ／ｓ＝２〜５、（ｕ＋ｖ）／（ｓ＋ｔ＋ｕ＋ｖ）＝０．０７〜０．２、ｓ／（ｓ＋ｔ＋ｕ＋ｖ）＝０．１〜０．３を満たし、Ｒ６およびＲ７はそれぞれ独立に炭素数１〜３のパーフルオロアルキル基である。）
【請求項８】
パーフルオロポリエーテル基を有する化合物を物品に塗布して塗膜を形成するための溶液である、請求項６または７に記載の溶液。
【請求項９】
請求項８に記載の溶液を物品に塗布し、次いで該物品から溶剤組成物を蒸発させて、該物品にパーフルオロポリエーテル基を有する化合物を含む塗膜を形成する方法。
【請求項１０】
請求項１〜４のいずれかに記載の溶剤組成物を用いて、パーフルオロポリエーテル基を有する化合物が付着した物品を洗浄する方法。
【請求項１１】
パーフルオロポリエーテル基を有する化合物が、数平均分子量１３００〜８０００で一般式（１）で表される化合物、数平均分子量３２００〜２３０００で一般式（２）で表される化合物、数平均分子量２０００〜１１０００で一般式（３）で表される化合物または数平均分子量１０００〜２００００で一般式（４）で表される化合物である、請求項８に記載の方法。
【化３】
2020132688.tif 000009
（式中、ｍおよびｎは１以上の整数であり、ｍ＋ｎ＝８〜１２０を満たし、Ｒ１およびＲ２はそれぞれ独立に炭素数１〜３のパーフルオロアルキル基であり、ｐおよびｑは１以上の整数であり、ｐ＋ｑ＝２５〜３５０を満たし、Ｒ３およびＲ４はそれぞれ独立に炭素数１〜３のパーフルオロアルキル基であり、ｒは１０〜８０の整数であり、Ｒ５は炭素数１〜３のパーフルオロアルキル基であり、ｓ、ｔ、ｕおよびｖは１以上の整数であり、ｔ／ｓ＝２〜５、（ｕ＋ｖ）／（ｓ＋ｔ＋ｕ＋ｖ）＝０．０７〜０．２、ｓ／（ｓ＋ｔ＋ｕ＋ｖ）＝０．１〜０．３を満たし、Ｒ６およびＲ７はそれぞれ独立に炭素数１〜３のパーフルオロアルキル基である。） 
【発明の詳細な説明】
【技術分野】
【０００１】
本発明は、パーフルオロポリエーテル基（以下、「ＰＦＰＥ基」ともいう）を有する化合物を溶解するための溶剤組成物に関する。
【背景技術】
【０００２】
ＰＦＰＥ基を有する化合物（以下、単に「ＰＦＰＥ」ともいう）は、一般的に熱的、化学的に安定であり、電気絶縁性に優れる等といった種々の特徴を有する。ＰＦＰＥ基を有する化合物は、例えば、磁気記録媒体用等のフッ素系潤滑剤として知られている。
【０００３】
ＰＦＰＥ基を有する化合物は一般的に含フッ素系溶剤以外には溶解し難い。ＰＦＰＥ基を有する化合物を含む潤滑剤溶液の調製に用いる溶剤や、ＰＦＰＥ基を有する化合物が付着した物品から該化合物を除去するための洗浄剤として、クロロフルオロカーボン類（以下、「ＣＦＣ類」ともいう）、ハイドロクロロフルオロカーボン類（以下、「ＨＣＦＣ類」ともいう）、パーフルオロカーボン類（以下、「ＰＦＣ類」ともいう）、ハイドロフルオロカーボン類（以下、「ＨＦＣ類」ともいう）等が使用されてきた。しかしながら、ＣＦＣ類、ＨＣＦＣ類等は、オゾン層への悪影響の懸念から、先進国においては、使用が制限されたり、禁止される方向にある。ＰＦＣ類やＨＦＣ類は、地球温暖化係数（ＧＷＰ）が大きいことから、京都議定書で規制対象物質となっている。このことから、地球環境に与える影響が小さい物質の開発が求められている。これらの代替品としてハイドロクロロフルオロオレフィン類やハイドロフルオロオレフィン類（以下、これらを総称して「ＨＦＯ類」ともいう）やハイドロフルオロエーテル類（以下、「ＨＦＥ類」ともいう）が着目されている。
【０００４】
ＨＦＥ類の一種として、１，１，１，３，３，３−ヘキサフルオロイソプロピルメチルエーテル（以下、「ＨＦＥ−３５６ｍｍｚ」ともいう）が知られている（特許文献１、２）。
【０００５】
また、ＨＦＥ類の別の例として、１，１，２，２−テトラフルオロエチル−２，２，２−トリフルオロエチルエーテル（以下、「ＨＦＥ−３４７ｐｃ−ｆ」ともいう）が知られている。特許文献３には、溶剤としてＨＦＥ−３４７ｐｃ−ｆを用いた潤滑剤塗布溶液について記載されている。
【先行技術文献】
【特許文献】
【０００６】
【特許文献１】米国特許５２７３５９２号公報
【特許文献２】米国特許７４２９５５７号公報
【特許文献３】特許４６１３５３７号公報
【発明の概要】
【発明が解決しようとする課題】
【０００７】
本発明は、地球環境への負荷が小さく、かつ、ＰＦＰＥ基を有する化合物を溶解したときに安定性に優れる溶液とすることのできる溶剤組成物を提供することを課題とする。
【課題を解決するための手段】
【０００８】
本発明者らは前記課題を解決するために鋭意検討を行った。その結果、１，１，１，３，３，３−ヘキサフルオロイソプロピルメチルエーテル（ＨＦＥ−３５６ｍｍｚ）を含む組成物が、パーフルオロポリエーテル（ＰＦＰＥ）を十分に溶解し、洗浄剤、溶剤として優れていることを見出し、本発明を完成させた。
【０００９】
すなわち、本発明の実施形態の一つは、パーフルオロポリエーテル基を有する化合物を溶解するための溶剤組成物であって、１，１，１，３，３，３−ヘキサフルオロイソプロピルメチルエーテルを含む溶剤組成物である。この溶剤組成物において、シス−１−クロロ−３，３，３−トリフルオロプロペン（１２３３ｚｄ（Ｚ））、１，１，１，３，３−ペンタフルオロブタン（ＨＦＣ−３６５ｍｆｃ）から選択される少なくとも一つの化合物を含んでもよい。また、この溶剤組成物において、ハイドロクロロフルオロカーボン類、ハイドロフルオロカーボン類、ハイドロフルオロエーテル類、ハイドロフルオロオレフィン類から選ばれる有機溶剤を含んでもよい。また、この溶剤組成物において、安定剤、難燃剤、界面活性剤、金属不動態化剤または防錆剤を含んでもよい。
【００１０】
本発明の実施形態の一つは、前記溶剤組成物と、パーフルオロポリエーテル基を有する化合物とを含む、溶液である。この溶液はパーフルオロポリエーテル基を有する化合物を物品に塗布して塗膜を形成するための溶液として用いることができる。
【００１１】
本発明の実施形態の一つは、前記溶液を物品の表面に塗布し、次いで物品から溶剤組成物を蒸発させて、物品の表面にパーフルオロポリエーテル基を有する化合物を含む塗膜を形成する方法である。
【００１２】
本発明の実施形態の一つは、パーフルオロポリエーテル基を有する化合物が付着した物品を、前記溶剤組成物を用いて洗浄する方法である。
【００１３】
パーフルオロポリエーテル基を有する化合物は、数平均分子量１３００〜８０００で一般式（１）で表される化合物、数平均分子量３２００〜２３０００で一般式（２）で表される化合物、数平均分子量２０００〜１１０００で、一般式（３）で表される化合物、または、数平均分子量１０００〜２００００を有し、一般式（４）で表される化合物であってもよい。
【化１】
2020132688.tif 000002
【００１４】
一般式（１）中、ｍおよびｎは１以上の整数であり、ｍ＋ｎ＝８〜１２０を満たし、Ｒ１およびＲ２はそれぞれ独立に炭素数１〜３のパーフルオロアルキル基である。一般式（２）中、ｐおよびｑは１以上の整数であり、ｐ＋ｑ＝２５〜３５０を満たし、Ｒ３およびＲ４はそれぞれ独立に炭素数１〜３のパーフルオロアルキル基である。一般式（３）中、ｒは１０〜８０の整数であり、Ｒ５は炭素数１〜３のパーフルオロアルキル基である。一般式（４）中、ｓ、ｔ、ｕおよびｖは１以上の整数であり、ｔ／ｓ＝２〜５、（ｕ＋ｖ）／（ｓ＋ｔ＋ｕ＋ｖ）＝０．０７〜０．２、ｓ／（ｓ＋ｔ＋ｕ＋ｖ）＝０．１〜０．３を満たし、Ｒ６およびＲ７はそれぞれ独立に炭素数１〜３のパーフルオロアルキル基である。
【発明の効果】
【００１５】
本発明によれば、地球環境への負荷が小さく、かつ、ＰＦＰＥ基を有する化合物を溶解したときに安定性に優れる溶液とすることのできる溶剤組成物を提供することができる。
【発明を実施するための形態】
【００１６】
後述の実施例においても示されるように、ＨＦＥ類とフッ素系潤滑剤の組み合わせによっては、該フッ素系潤滑剤が該ＨＦＥ類に溶解しないこともあり、また、溶液とすることができたとしても、安定的に均一溶液を保持できるか否かは不明である。このように、潤滑剤溶液を調製するために、溶剤とＰＦＰＥ基を有する化合物の好適な組み合わせを見出すことは容易ではない。特許文献３には、ＨＦＥ−３５６ｍｍｚを含む混合溶剤を用いた洗浄方法について記載されているものの、被洗浄物表面に付着している汚れがＰＦＰＥ基を有する化合物である場合についての詳細は記載されておらず、ＰＦＰＥ基を有する化合物を溶液状態としたときの安定性についても不明であった。
【００１７】
以下、本発明の実施形態について説明する。ただし本発明は、その要旨を逸脱しない範囲において様々な態様で実施することができ、以下に例示する実施形態の記載内容に限定して解釈されるものではない。また、以下の実施形態の態様によりもたらされる作用効果とは異なる他の作用効果であっても、本明細書の記載から明らかなもの、または、当業者において容易に予測し得るものについては、当然に本発明によりもたらされたものと解される。
【００１８】
［１．ＨＦＥ−３５６ｍｍｚを含む溶剤組成物］
本実施形態では、ＰＦＰＥ基を有する化合物を溶解するための溶剤組成物であって、ＨＦＥ−３５６ｍｍｚを含む溶剤組成物（以下、単に「本溶剤組成物」ともいう）を説明する。
【００１９】
（ＨＦＥ−３５６ｍｍｚ）
本溶剤組成物には、ＨＦＥ−３５６ｍｍｚが含まれ、例えば、３０質量％以上含まれ、好ましくは５０質量％以上、より好ましくは７０質量％以上、特に好ましくは９０質量％以上含まれる。また、実質的にＨＦＥ−３５６ｍｍｚのみが含まれてもよい。なお、ＨＦＥ−３５６ｍｍｚは公知の化合物であり、例えば、アルカリ存在下、１，１，１，３，３，３−ヘキサフルオロイソプロアルコールとジメチル硫酸との反応により得ることができる（米国特許３３４６４４８号）。
【００２０】
（１２３３ｚｄ（Ｚ）、ＨＦＣ−３６５ｍｆｃ）
本溶剤組成物には、シス−１−クロロ−３，３，３−トリフルオロプロペン（以下、「１２３３ｚｄ（Ｚ）」ともいう）、１，１，１，３，３−ペンタフルオロブタン（以下、「ＨＦＣ−３６５ｍｆｃ」ともいう）が含まれてもよく、例えば、本溶剤組成物において、１２３３ｚｄ（Ｚ）とＨＦＣ−３６５ｍｆｃとの合計の割合は、７０質量％以下、５０質量％以下、３０質量％以下、１０質量％以下であってもよい。なお、１２３３ｚｄ（Ｚ）（ＣＥＬＥＦＩＮ（登録商標）１２３３Ｚ（セントラル硝子社製））、ＨＦＣ−３６５ｍｆｃ（ソルカン（登録商標）３６５ｍｆｃ（ソルベイ社製））は公知の化合物であり、それぞれ市販されている。
【００２１】
（他の有機溶剤）
本溶剤組成物には、他の有機溶剤が含まれてもよい。例えば、本溶剤組成物において、他の有機溶剤は３０質量％以下、２０質量％以下、１０質量％以下含まれてもよい。他の有機溶剤としては、例えば、ハイドロクロロフルオロカーボン類（ＨＣＦＣ類）、ハイドロフルオロカーボン類（ＨＦＣ類）、ハイドロフルオロエーテル類（ＨＦＥ類）、ハイドロフルオロオレフィン類（ＨＦＯ類）が挙げられる。これらは単独で用いてもよく、２種以上を併用してもよい。
【００２２】
ＨＣＦＣ類としては、例えば、炭素数３〜８の鎖状または環状のＨＣＦＣ類が挙げられる。より具体的には、３，３−ジクロロ−１，１，１，２，２−ペンタフルオロプロパン（ＨＣＦＣ−２２５ｃａ）、１，３−ジクロロ−１，１，２，２，３−ペンタフルオロプロパン（ＨＣＦＣ−２２５ｃｂ）等が挙げられるが、これらに限られない。
【００２３】
ＨＦＣ類としては、例えば、炭素数４〜８の鎖状または環状のＨＦＣ類が挙げられ、１分子中のフッ素原子数が水素原子数以上であるＨＦＣ類が好ましい。より具体的には、１，１，１，３，３−ペンタフルオロブタン、１，１，１，２，２，３，４，５，５，５−デカフルオロペンタン、１，１，２，２，３，３，４−ヘプタフルオロシクロペンタン、１，１，１，２，２，３，３，４，４−ノナフルオロヘキサン、１，１，１，２，２，３，３，４，４，５，５，６，６−トリデカフルオロヘキサン、１，１，１，２，２，３，３，４，４，５，５，６，６−トリデカフルオロオクタン等が挙げられるが、これらに限られない。
【００２４】
ＨＦＥ類としては、例えば、炭素数４〜８の鎖状または環状のＨＦＥ類が挙げられる。より具体的には、Ｃ４Ｆ９ＯＣＨ３、Ｃ３Ｆ７ＯＣＨ３、１，１，２，２−テトラフルオロエトキシ−１−（２，２，２−トリフルオロ）エタン（ＨＦＥ−３４７ｐｃ−ｆ。例えば、市販品としてアサヒクリン（登録商標）ＡＥ−３０００（ＡＧＣ社製）がある）等が挙げられるが、これらに限られない。
【００２５】
ＨＦＯ類としては、例えば、炭素数３〜６のＨＦＯ類が挙げられる。より具体的には、１，３，３，３−テトラフルオロプロペン、２，３，３，３−テトラフルオロプロペン、１，２−ジクロロ−３，３，３−トリフルオロプロペン等が挙げられるが、これらに限られない。
【００２６】
（安定剤）
本溶剤組成物には、安定剤が含まれてもよい。安定剤が含まれることで、例えば、熱安定性、耐酸化性等を向上させることができる。例えば、本溶剤組成物において、安定剤は１０質量％以下、３質量％以下、１質量％以下、０．１質量％以下含まれてもよい。この安定剤としては、例えば、ニトロ化合物、エポキシ化合物、フェノール類、イミダゾール類、アミン類、不飽和炭化水素類等が挙げられるが、これらに限定されない。また、これらは単独で用いてもよく、２種以上を併用してもよい。
【００２７】
ニトロ化合物としては、例えば、脂肪族及び／または芳香族誘導体が挙げられる。脂肪族系ニトロ化合物としては、例えば、ニトロメタン、ニトロエタン、１−ニトロプロパン、２−ニトロプロパン等が挙げられる。芳香族ニトロ化合物としては、例えば、ニトロベンゼン、ｏ−、ｍ−又はｐ−ジニトロベンゼン、トリニトロベンゼン、ｏ−、ｍ−又はｐ−ニトロトルエン、ｏ−、ｍ−又はｐ−エチルニトロベンゼン、２，３−、２，４−、２，５−、２，６−、３，４−又は３，５−ジメチルニトロベンゼン、ｏ−、ｍ−又はｐ−ニトロアセトフェノン、ｏ−、ｍ−又はｐ−ニトロフェノール、ｏ−、ｍ−又はｐ−ニトロアニソール等が挙げられる。
【００２８】
エポキシ化合物としては、例えばエチレンオキサイド、１，２−ブチレンオキサイド、プロピレンオキサイド、スチレンオキサイド、シクロヘキセンオキサイド、グリシドール、エピクロルヒドリン、グリシジルメタアクリレート、フェニルグリシジルエーテル、アリルグリシジルエーテル、メチルグリシジルエーテル、ブチルグリシジルエーテル、２−エチルヘキシルグリシジルエーテル等のモノエポキシ系化合物、ジエポキシブタン、ビニルシクロヘキセンジオキサイド、ネオペンチルグリコールジグリシジルエーテル、エチレングリコールジグリシジルエーテル、グリセリンポリグリシジルエーテル、トリメチロールプロパントルグリシジルエーテル等のポリエポキシ系化合物等が挙げられる。
【００２９】
フェノール類としては、例えば、フェノール性水酸基とともに、アルキル基、アルケニル基、アルコキシ基、カルボキシル基、カルボニル基、ハロゲン等各種の置換基を含み得る芳香族化合物が挙げられる。このような芳香族化合物としては、例えば、２，６−ジ−ｔ−ブチル−ｐ−クレゾール、ｏ−クレゾール、ｍ−クレゾール、ｐ−クレゾール、チモール、ｐ−ｔ−ブチルフェノール、ｏ−メトキシフェノール、ｍ−メトキシフェノール、ｐ−メトキシフェノール、オイゲノール、イソオイゲノール、ブチルヒドロキシアニソール、フェノール、キシレノール等の１価のフェノールあるいはｔ−ブチルカテコール、２，５−ジ−ｔ−アミノハイドロキノン、２，５−ジ−ｔ−ブチルハイドロキノン等の２価のフェノール等が挙げられる。
【００３０】
イミダゾール類としては、炭素数１〜１８のアルキル基、シクロアルキル基、またはアリール基をＮ位の置換基とする、１−メチルイミダゾール、１−ｎ−ブチルイミダゾール、１−フェニルイミダゾール、１−ベンジルイミダゾール、１−（β−オキシエチル）イミダゾール、１−メチル−２−プロピルイミダゾール、１−メチル−２−イソブチルイミダゾール、１−ｎ−ブチル−２−メチルイミダゾール、１，２−ジメチルイミダゾール、１，４−ジメチルイミダゾール、１，５−ジメチルイミダゾール、１，２，５−トリメチルイミダゾール、１，４，５−トリメチルイミダゾール、１−エチル−２−メチルイミダゾール等が挙げられる。
【００３１】
アミン類としては、ペンチルアミン、ヘキシルアミン、ジイソプロピルアミン、ジイソブチルアミン、ジ−ｎ−プロピルアミン、ジアリルアミン、トリエチルアミン、Ｎ−メチルアニリン、ピリジン、モルホリン、Ｎ−メチルモルホリン、トリアリルアミン、アリルアミン、α―メチルベンジルアミン、メチルアミン、ジメチルアミン、トリメチルアミン、エチルアミン、ジエチルアミン、プロピルアミン、イソプロピルアミン、ジプロピルアミン、ブチルアミン、イソブチルアミン、ジブチルアミン、トリブチルアミン、ジペンチルアミン、トリペンチルアミン、２−エチルヘキシルアミン、アニリン、Ｎ，Ｎ−ジメチルアニリン、Ｎ，Ｎ−ジエチルアニリン、エチレンジアミン、プロピレンジアミン、ジエチレントリアミン、テトラエチレンペンタミン、ベンジルアミン、ジベンジルアミン、ジフェニルアミン、ジエチルヒドロキシルアミン等が挙げられる。
【００３２】
不飽和炭化水素類としては、α−メチルスチレン、ｐ−イソプロペニルトルエン、イソプレン類、プロパジエン類、テルペン類等が挙げられる。
【００３３】
（難燃剤）
本溶剤組成物には、難燃剤が含まれてもよい。難燃剤が含まれることで、難燃性を向上させることができる。例えば、本溶剤組成物において、難燃剤は３質量％以下、１質量％以下、０．１質量％以下含まれてもよい。このような難燃剤としては、ホスフェート類、ハロゲン化芳香族化合物、フッ素化ヨードカーボン、フッ素化ブロモカーボン等が挙げられるが、これらに限定されない。
【００３４】
（界面活性剤）
本溶剤組成物には、界面活性剤が含まれてもよい。界面活性剤が含まれることで、例えば、洗浄力、界面作用等を向上させることができる。例えば、本溶剤組成物において、界面活性剤は３質量％以下、１質量％以下、０．１質量％以下含まれてもよい。界面活性剤としては、ソルビタンモノオレエート、ソルビタントリオレエート等のソルビタン脂肪族エステル類；ポリオキシエチレンのソルビットテトラオレエート等のポリオキシエチレンソルビット脂肪酸エステル類；ポリオキシエチレンモノラウレート等のポリエチレングリコール脂肪酸エステル類；ポリオキシエチレンラウリルエーテル等のポリオキシエチレンアルキルエーテル類；ポリオキシエチレンノニルフェニルエーテル等のポリオキシエチレンアルキルフェニルエーテル類；ポリオキシエチレンオレイン酸アミド等のポリオキシエチレンアルキルアミン脂肪酸アミド類等のノニオン系界面活性剤が挙げられる。
【００３５】
（金属不動態化剤）
本溶剤組成物には、金属不動態化剤が含まれてもよい。例えば、本溶剤組成物において、金属不動態化剤は３質量％以下、１質量％以下、０．１質量％以下含まれてもよい。
【００３６】
（防錆剤）
本溶剤組成物には、防錆剤が含まれてもよい。例えば、本溶剤組成物において、防錆剤は３質量％以下、１質量％以下、０．１質量％以下含まれてもよい。
【００３７】
（溶剤組成物の例示）
本溶剤組成物は、例えば、以下の組成が挙げられるが、この限りではない。
本溶剤組成物１００質量％に対し、
３０質量％以上のＨＦＥ−３５６ｍｍｚと、６０質量％以下の１２３３ｚｄ（Ｚ）またはＨＦＣ−３６５ｍｆｃと、０質量％以上１０質量％以下のその他の成分とを含む組成物；４０質量％以上のＨＦＥ−３５６ｍｍｚと、５０質量％以下の１２３３ｚｄ（Ｚ）またはＨＦＣ−３６５ｍｆｃと、０質量％以上１０質量％以下のその他の成分とを含む組成物；５０質量％以上のＨＦＥ−３５６ｍｍｚと、４０質量％以下の１２３３ｚｄ（Ｚ）またはＨＦＣ−３６５ｍｆｃと、０質量％以上１０質量％以下のその他の成分とを含む組成物；６０質量％以上のＨＦＥ−３５６ｍｍｚと、３０質量％以下の１２３３ｚｄ（Ｚ）またはＨＦＣ−３６５ｍｆｃと、０質量％以上１０質量％以下のその他の成分とを含む組成物；７０質量％以上のＨＦＥ−３５６ｍｍｚと、２０質量％以下の１２３３ｚｄ（Ｚ）またはＨＦＣ−３６５ｍｆｃと、０質量％以上１０質量％以下のその他の成分とを含む組成物；８０質量％以上のＨＦＥ−３５６ｍｍｚと、１０質量％以下の１２３３ｚｄ（Ｚ）またはＨＦＣ−３６５ｍｆｃと、０質量％以上１０質量％以下のその他の成分とを含む組成物；８５質量％以上のＨＦＥ−３５６ｍｍｚと、５質量％以下の１２３３ｚｄ（Ｚ）またはＨＦＣ−３６５ｍｆｃと、０質量％以上１０質量％以下のその他の成分とを含む組成物；９０質量％以上のＨＦＥ−３５６ｍｍｚを含む組成物；９５質量％以上のＨＦＥ−３５６ｍｍｚを含む組成物。
【００３８】
（ＰＦＰＥ基を有する化合物）
本明細書において、ＰＦＰＥ基を有する化合物とは、−ＣａＦ２ａＯ−（ａは１〜６の整数である）で表される繰り返し単位（オキシパーフルオロアルキレン基）、好ましくは、−Ｃ４Ｆ８Ｏ−、−Ｃ３Ｆ６Ｏ−、−Ｃ２Ｆ４Ｏ−および−ＣＦ２Ｏ−からなる群より選択される少なくとも一種の繰り返し単位を有する化合物である。本溶剤組成物で溶解するＰＦＰＥ基を有する化合物としては、ＰＦＰＥ基を有する化合物であれば特に制限されないが、ＰＦＰＥ基が化合物全体の主要部分を占める、すなわち、ＰＦＰＥ基を有する化合物の分子量のうち、ＰＦＰＥ基が５０％以上、６０％以上、７０％以上、８０％以上もしくは９０％以上を占める化合物が好ましい。ＰＦＰＥ基を有する化合物は、アルキル基、カルボキシ基、ヒドロキシ基、アミド基、カルボニル基、アミノ基またはアルコキシ基を有していてもよい。ＰＦＰＥ基を有する化合物は、パーフルオロ化合物、すなわち、パーフルオロポリエーテルであることが好ましい。
【００３９】
ＰＦＰＥ基を有する化合物としては、例えば、フッ素系潤滑剤として一般的に用いられるパーフルオロポリエーテルである以下の（ａ）〜（ｄ）の化合物が挙げられるが、これらに限定されない。
（ａ）数平均分子量１３００〜８０００を有し、一般式（１）で表される化合物、
（ｂ）数平均分子量３２００〜２３０００を有し、一般式（２）で表される化合物、
（ｃ）数平均分子量２０００〜１１０００を有し、一般式（３）で表される化合物
（ｄ）数平均分子量１０００〜２００００を有し、一般式（４）で表される化合物。
【化２】
2020132688.tif 000003
【００４０】
一般式（１）中、ｍおよびｎは１以上の整数であり、ｍ＋ｎ＝８〜１２０を満たし、Ｒ１およびＲ２はそれぞれ独立に炭素数１〜３のパーフルオロアルキル基である。一般式（２）中、ｐおよびｑは１以上の整数であり、ｐ＋ｑ＝２５〜３５０を満たし、Ｒ３およびＲ４はそれぞれ独立に炭素数１〜３のパーフルオロアルキル基である。一般式（３）中、ｒは１０〜８０の整数であり、Ｒ５は炭素数１〜３のパーフルオロアルキル基である。一般式（４）中、ｓ、ｔ、ｕおよびｖは１以上の整数であり、ｔ／ｓ＝２〜５、（ｕ＋ｖ）／（ｓ＋ｔ＋ｕ＋ｖ）＝０．０７〜０．２、ｓ／（ｓ＋ｔ＋ｕ＋ｖ）＝０．１〜０．３を満たし、Ｒ６およびＲ７はそれぞれ独立に炭素数１〜３のパーフルオロアルキル基である。
【００４１】
ここで、数平均分子量とは、ゲルパーミエーションクロマトグラフィー（ＧＰＣ）におけるポリスチレン換算の数平均分子量を指す。
【００４２】
この他にも、本溶剤組成物で溶解するＰＦＰＥ基を有する化合物としては、例えば、パーフルオロポリエーテル改質アルキルオキシシランポリマーが挙げられる。
【００４３】
また、本溶剤組成物で溶解するＰＦＰＥ基を有する化合物としては、例えば、以下の製品が挙げられるがこれらに限られない：
ソルベイ  スペシャリティポリマー社製のＦｏｍｂｌｉｎ（登録商標）Ｙシリーズ、Ｆｏｍｂｌｉｎ（登録商標）Ｍシリーズ、Ｆｏｍｂｌｉｎ（登録商標）Ｗシリーズ、Ｆｏｍｂｌｉｎ（登録商標）Ｚシリーズ；ダイキン工業社製のＤＥＭＮＵＭ（登録商標）シリーズ；デュポン社製のＫｒｙｔｏｘ（登録商標）シリーズ。
【００４４】
パーフルオロポリエーテルを含有するフッ素系潤滑剤は、パーフルオロポリエーテルとともに添加剤（例えば防錆剤等）が含まれたり、ポリテトラフルオロエチレン樹脂パウダー等のフッ素系固体潤滑剤と混合して使用されることもある。本溶剤組成物は、ＰＦＰＥ基を有する化合物を溶解するとともに、このような成分が存在する場合にも有用である。したがって、本発明においては、ＰＦＰＥ基を有する化合物が、パーフルオロポリエーテルとともにこのような成分を含有する組成物であっても適用できる。
【００４５】
［２．本溶剤組成物と、ＰＦＰＥ基を有する化合物とを含む、溶液］
本溶剤組成物は、ＰＦＰＥ基を有する化合物を溶解させて、本溶剤組成物とＰＦＰＥ基を有する化合物とを含む溶液とすることができる。この溶液は、例えば、ＰＦＰＥ基を有する化合物の塗膜を形成するための溶液（以下、「塗布用溶液」ともいう）として用いることができる。この塗布用溶液を物品の表面に塗布し、次いで物品から本溶剤組成物を蒸発させることにより、物品の表面にＰＦＰＥ基を有する化合物を含む塗膜を形成した塗膜付物品を製造することができる。
【００４６】
例えば、刷毛による塗布、スプレーによる塗布、物品を塗布用溶液に浸漬することによる塗布、塗布用溶液を吸い上げることによりチューブや注射針の内壁に塗布用溶液を接触させる等の方法により、物品に塗布用溶液を塗布し、次いで乾燥により本溶剤組成物を蒸発させて、物品表面に塗膜を形成することができる。
【００４７】
ＨＦＥ−３５６ｍｍｚを含む本溶剤組成物は、蒸発速度が大きく、塗布物品から速やかに蒸発させることができるため、塗膜付物品の製造に好適である。本溶剤組成物１００質量％に対し、ＨＦＥ−３５６ｍｍｚが５０質量％以上、７０質量％以上、８０質量％以上、９０質量％以上含まれる場合が特に好適である。
【００４８】
ＨＦＯ類やＨＦＥ類は、ＣＦＣ類等の代替品として期待されるものの、例えば、ＨＦＯ類の一種である１２１４ｙａは、空気中での安定性が低いため、空気中での使用において分解して酸性化し得る。また、ＨＦＥ類の一種である１，１，２，２−テトラフルオロエチル−２，２，２−トリフルオロエチルエーテル（３４７ｐｃ−ｆ）は、後述の実施例においても示されるように、ＰＦＰＥとの溶液の安定性が必ずしも良好とはいえない。その一方で、本溶剤組成物とＰＦＰＥ基を有する化合物との溶液は優れた安定性を示す。
【００４９】
ＰＦＰＥ基を有する化合物を本溶剤組成物に溶解させた溶液は、溶解直後にとどまらず、長期（例えば３日以上、１０日以上）にわたって均一性を示し、溶液状態での安定性（溶解安定性）に優れる。このため、ＰＦＰＥ基を有する化合物を含む塗膜を物品表面に形成するための溶液（塗布用溶液）として安定的に供給することができる。また、本溶剤組成物を洗浄剤として用いる場合、物品からＰＦＰＥ基を有する化合物を除去する際に、ＰＦＰＥ基を有する化合物と本溶剤組成物との溶液（以下、「洗浄工程後の溶液」ともいう）が形成される。本溶剤組成物のリサイクルのために、この洗浄工程後の溶液は回収された後に蒸留等の精製操作が施され、本溶剤組成物が回収される。このリサイクルは、一般的な方法においては、洗浄工程とは別途に行われるため、回収から精製操作までに長時間要することもある。この間、本洗浄工程後の溶液においては、ＰＦＰＥ基を有する化合物と本溶剤組成物とが均一性を示すため、ＰＦＰＥ基を有する化合物が回収容器に粘着したり、精製の妨げになることが少なく、本溶剤組成物の効率的なリサイクルが可能となる。
【００５０】
［３．物品の洗浄方法］
本溶剤組成物を用いた物品の洗浄方法は、ＰＦＰＥ基を有する化合物が付着した物品に対して本溶剤組成物を用いること以外は特に限定されない。本溶剤組成物とＰＦＰＥ基を有する化合物が付着した物品とを接触させることで、当該物品からＰＦＰＥ基を有する化合物を除去することができる。この接触としては、例えば、手拭き洗浄、浸漬洗浄、スプレー洗浄、浸漬揺動洗浄、浸漬超音波洗浄、煮沸洗浄、蒸気洗浄、これらを組み合わせ等による方法が挙げられるが、この限りではない。
【００５１】
この物品としては、金属、樹脂、ゴム、繊維、ガラス、セラミックス、これらの複合材料からなる材質のものが挙げられる。複合材料としては、金属と樹脂の積層体等が挙げられる。この物品は、具体的には、精密機械部品、電子材料（プリント基板、液晶表示器、磁気記録部品、半導体材料等）、樹脂加工部品、光学レンズ、繊維製品、医療器具等が挙げられるが、これらに限定されない。後述の実施例においても示されるように、本溶剤組成物は、ＰＣ（ポリカーボネート）、アクリル樹脂、ＡＢＳ樹脂等の各種樹脂への悪影響が少ないため、このような樹脂を物品の材料として用いる実施形態において特に有効である。
【実施例】
【００５２】
以下、実施例により本発明に係る実施形態を詳細に説明するが、本発明の実施形態は実施例に限定されるものではない。
【００５３】
本実施例において、ＰＦＰＥ基を有する化合物として、以下に示す市販のＰＦＰＥ ＃１〜ＰＦＰＥ ＃６のいずれかを使用した。
ＰＦＰＥ＃１（Ｆｏｍｂｌｉｎ（登録商標）Ｙ  Ｈ  ＶＡＣ２５／６（ソルベイ  スペシャリティポリマー社製））：  ＣＦ３−［（ＯＣＦ（ＣＦ３）ＣＦ２）ｍ−（ＯＣＦ２）ｎ］−ＯＣＦ３で表される構造式を有するポリマー（数平均分子量３３００）、
ＰＦＰＥ＃２（Ｆｏｍｂｌｉｎ（登録商標）Ｍ１５（ソルベイ  スペシャリティポリマー社製））：  ＣＦ３−［（ＯＣ２Ｆ４）ｐ−（ＯＣＦ２）ｑ］−ＯＣＦ３で表される構造式を有するポリマー（数平均分子量９７００）、
ＰＦＰＥ＃３（ＤＥＭＮＵＭ（登録商標）Ｓ−６５（ダイキン工業社製））：  Ｆ−（Ｃ３Ｆ６Ｏ）ｍ−Ｃ２Ｆ５で表される構造式を有するポリマー（数平均分子量４５００）、
ＰＦＰＥ＃４（Ｆｏｍｂｌｉｎ（登録商標）Ｙ２５（ソルベイ  スペシャリティポリマー社製））：  ＣＦ３−［（ＯＣＦ（ＣＦ３）ＣＦ２）ｍ−（ＯＣＦ２）ｎ］−ＯＣＦ３で表される構造式を有するポリマー（数平均分子量３７００）、
ＰＦＰＥ＃５（Ｆｏｍｂｌｉｎ（登録商標）Ｙ  Ｌ  ＶＡＣ０６／６（ソルベイ  スペシャリティポリマー社製））：  ＣＦ３−［（ＯＣＦ（ＣＦ３）ＣＦ２）ｍ−（ＯＣＦ２）ｎ］−ＯＣＦ３で表される構造式を有するポリマー（数平均分子量１８００）、
ＰＦＰＥ＃６（Ｋｒｙｔｏｘ（登録商標）１４３ＡＤ（デュポン社製））：  Ｆ−（Ｃ３Ｆ６Ｏ）ｍ−Ｃ２Ｆ５で表される構造式を有するポリマー（数平均分子量７４８０）。
【００５４】
＜１．ＰＦＰＥ溶液の溶解安定性試験＞
［実施例１〜実施例１６、比較例１〜比較例１５］
１１０ｍＬ硝子製スクリュー管瓶に溶剤３８ｇを入れた後に、ＰＦＰＥ２ｇを入れ、十分に混合し均一な溶液とした。これを密閉状態、室温（２０℃）、遮光下で保存し、０日後（ＰＦＰＥと溶剤を混合した直後）、３日後、１０日後の溶液の状態を目視で観察した。溶液が無色透明（濁りが無い）状態のものを「○」と評価し、わずかに濁りが生じた状態のものを「△」と評価し、明らかな着色、ゲル化の発生または二層分離が生じた状態のものを「×」と評価した。その結果を表１および表２に示す。
【表１】
2020132688.tif 000004
【表２】
2020132688.tif 000005
【００５５】
実施例１〜実施例１６に示されるように、ＨＦＥ−３５６ｍｍｚ、ＨＦＥ−３５６ｍｍｚ／１２３３ｚｄ（Ｚ）混合液、ＨＦＥ−３５６ｍｍｚ／ＨＦＣ−３６５ｍｆｃ混合液を溶剤として用いた場合には、３日後、１０日後の溶液の状態はいずれも無色透明であった。一方で、比較例１〜比較例１５に示されるように、ＨＦＯ類の一種である１２３３ｚｄ（Ｚ）や、ＨＦＥ類の一種である３４７ｐｃ−ｆ、ＨＦＣ類の一種であるＨＦＣ−３６５ｍｆｃを溶剤として用いた場合には、ＰＦＰＥとの混合直後から二層分離した。
【００５６】
全ての含フッ素化合物がＰＦＰＥ基を有する化合物を溶解できるわけではない。一般的に、化合物中のフッ素原子の割合が高い溶剤は、ＰＦＰＥ基を有する化合物を溶解すると考えられている。しかしながら、上記の比較例が示すように、化合物中のフッ素原子の割合がより高いＨＦＥ−３４７ｐｃ−ｆを溶剤として用いた場合には、ＰＦＰＥ ＃１〜ＰＦＰＥ ＃６を溶解できなかったのに対し、上記の実施例が示すように、化合物中のフッ素原子の割合がより低いＨＦＥ−３５６ｍｍｚやＨＦＥ−３５６ｍｍｚを含む混合液を溶剤として用いた場合には、ＰＦＰＥ ＃１〜ＰＦＰＥ ＃６を溶解することができた。
【００５７】
＜２．塗布性、乾燥性評価試験＞
［実施例１７〜実施例３３］
ＰＦＰＥと溶剤を混合して、０．５質量％ＰＦＰＥ溶液を調製した。このＰＦＰＥ溶液をＳＵＳ３１６製テストピース上に塗布し、溶剤を風乾することにより、ＳＵＳ３１６製テストピース表面に膜厚２ｎｍのＰＦＰＥ塗膜を形成した。得られた塗膜の状態を目視で確認した。塗膜にムラが見られなかったものを、塗布性が良好である（「〇」と表記）と評価した。また、塗膜の形成時にただちに溶剤が蒸発したものを、乾燥性が良好である（「〇」と表記）と評価した。その結果を表３に示す。
【表３】
2020132688.tif 000006
【００５８】
＜３．洗浄性試験＞
［実施例３４］
３００ｍＬ硝子製ビーカーにＰＦＰＥ ＃１を２００ｇ入れた。次に、ＳＵＳ３１６製テストピース（３０ｍｍ×１５ｍｍ×２ｍｍ）１枚をＰＦＰＥ ＃１中に完全に浸漬させた。このテストピースをＰＦＰＥ＃１中から取り出して目視で確認したところ、テストピース表面にはＰＦＰＥ ＃１が付着していた。その後、５００ｍＬ硝子製ビーカーにＨＦＥ−３５６ｍｍｚを２００ｇ入れ、前記ＰＦＰＥ ＃１が付着したＳＵＳテストピースを完全に浸漬するように入れ、２５℃２分間超音波洗浄（超音波発振器：Ａｌｅｘ  Ｃｏｒｐｏｒａｔｉｏｎ社製  ネオソニック、出力１００Ｗ、周波数２８ｋＨｚ）した。その後、テストピースを取り出し、８０℃で５分間乾燥した後、テストピースの表面を目視観察したところ、テストピース表面に汚れは確認されなかった。
【００５９】
［実施例３５］
ＨＦＥ−３５６ｍｍｚの替わりに、ＨＦＥ−３５６ｍｍｚ／ＨＦＣ−３６５ｍｆｃ（質量比：６０／４０）混合溶剤を用いた以外は実施例３４と同様の操作を行った。その結果、洗浄乾燥後のテストピース表面に汚れは確認されなかった。
【００６０】
［実施例３６］
ＨＦＥ−３５６ｍｍｚの替わりに、ＨＦＥ−３５６ｍｍｚ／１２３３ｚｄ（Ｚ）（質量比：５０／５０）混合溶剤を用いた以外は実施例３４と同様の操作を行った。その結果、洗浄乾燥後のテストピース表面に汚れは確認されなかった。
【００６１】
実施例３４〜実施例３６により、ＨＦＥ−３５６ｍｍｚ、ＨＦＥ−３５６ｍｍｚを含む混合液の良好なＰＦＰＥ洗浄性が示された。